(57)【要約】【課題】カラー複写機の画像処理ＡＳＩＣをカラー処理部、白黒処理部にブロック分けして白黒コピーモード時はカラー処理部への通電を止める（クロック供給を止める）ような制御を行い消費電力低減を行う。【解決手段】白黒コピーモードあるいはカラーコピーモードを選択的に実行可能なカラー画像処理装置において、原稿がカラーか白黒かを反転する色判定手段の判定結果に応じて、画像処理回路の電源供給を切り替えることを特徴とするカラー画像処理装置。【選択図】        図１
2004336416.tif 000002
【特許請求の範囲】
【請求項１】
白黒コピーモードあるいはカラーコピーモードを選択的に実行可能なカラー画像処理装おいて、原稿がカラーか白黒かを反転する色判定手段の判定結果に応じて、画像処理回路の電源供給を切り替えることを特徴とするカラー画像処理装置。
【請求項２】
請求項１のカラー画像処理装置において、色判定結果により白黒コピーモードが選択された場合には、画像処理回路の一部の電源供給を止めることを特徴とする画像処理装置。
【請求項３】
白黒コピーモードあるいはカラーコピーモードを選択的に実行可能なカラー画像処理装おいて、原稿がカラーか白黒かを反転する色判定手段の判定結果に応じて、画像処理回路の動作クロック供給を切り替えることを特徴とするカラー画像処理装置。
【請求項４】
請求項１のカラー画像処理装置において、色判定結果により白黒コピーモードが選択された場合には、画像処理回路の一部のクロック供給を止めることを特徴とする画像処理装置。
【請求項５】
白黒コピーモードあるいはカラーコピーモードを選択的に実行可能なカラー画像処理装おいて、白黒コピーモード指示された場合には、画像処理回路の一部の電源供給を止めることを特徴とする画像処理装置。
【請求項６】
白黒コピーモードあるいはカラーコピーモードを選択的に実行可能なカラー画像処理装おいて、白黒コピーモード指示された場合には、画像処理回路の一部のクロック供給を止めることを特徴とする画像処理装置。
【発明の詳細な説明】
【０００１】
【発明の属する技術分野】
本発明は、ユーザーが日常の使用に当たって、ＦＡＸ、複写機、プリンタの複合機の消費電力低減を実現、特にカラー複写機で白黒コピーを取る場合の省エネに関するものである。
【０００２】
【従来の技術】
複合機の消費電力の低減については、ユーザーの省エネルギー指向の高まりに加えて、日本では省エネ法、海外でもエネジースター、ブルーエンジェルといった法的な規制にともない、各社の製品の競合スペックの項目として重要視されてきている。
【０００３】
規制の中でスリープ時、スタンバイ時、低電力モード、といった動作モードに応じて決められた上限内に入れるために製品ごとに多くの工夫が盛り込まれている。
【０００４】
特にカラー複写機については白黒複写機に比較して、消費電力も大きくその省エネ実現のために、各社の工夫が盛り込まれている（例えば特許文献１）。
【０００５】
【特許文献１】
特開２００３−４８３６０号公報
【０００６】
【発明が解決しようとする課題】
カラー複写機がオフィスに広く普及していく中で、カラー原稿はカラーコピー、白黒原稿は白黒コピーを自動で取る機能が搭載されている。しかしながら、カラー複写機では白黒コピー時も消費電力としてはカラー機と同等となる場合が多く、１台２役と省スペースは実現するもののまだまだ白黒コピーの比率が高い場合には省エネルギーという観点では十分とは言えない。
【０００７】
【課題を解決するための手段】
そこで、カラー複写機で白黒コピーを取る場合には、画像処理回路部分の白黒画像処理部のみ動作させて、それ以外の不要な回路部分の電力を落とすことにより、省エネルギーを実現するものである。
【０００８】
【発明の実施の形態】
（実施例１）
図１に示したものが本発明の複数台の複合機と管理サーバーから構成される画像処理システムである。
【０００９】
１０１は、各複合機から消費電力状態を吸い上げてそのトータル消費電力量の集計を行う管理サーバーである。１０２〜１０６はコピー、ＦＡＸ、ネットワークプリンタ機能を提供する複合機である。１０２はＡ４毎分１０５枚出力（以下１０５ｃｐｍ）の複合機である。１０３は８５ｃｐｍ、１０４は６０ｃｐｍ、１０５は３３ｃｐｍ、１０６は２２ｃｐｍの複合機である。
【００１０】
１０７〜１１０はネットワークプリントを行うクライアント側のＰＣである。次に各複合機の動作について説明する。
【００１１】
図５は１０２〜１０６複合機のブロック図である。５０１は原稿読み取り部の制御を行うリーダーコントローラである。５０２は原稿送り装置（５０７）、読み取り光学系（５０６）の駆動用のモータードライバ、５０３は原稿送り装置（５０７）、読み取り光学系（５０６）の駆動用のモーター、５０４は原稿を読み取りデータの信号処理を行うリーダー画像処理部、５０５は原稿読み取りから光電変換を行うＣＣＤである。５０８，５０９はリーダーコントローラ用のＲＯＭ，ＲＡＭである。
【００１２】
５１０は複合機全体の制御を行うシステムコンローラ、５１１は起動用の初期プログラムが内蔵されたＢｏｏｔ−ＲＯＭ、５１２はＳＲＡＭ、５１３は制御用のプログラムデータ、ワーク用メモリ、テンポラリーな画像データメモリ用のＤＲＡＭ、５１４はネットワーク用のＬＡＮボード、５１５は、起動プログラムや保存用の画像データが格納されたハードディスク（５１７）の読み書き制御を行うハードディスクコントローラである。５１６はＦＡＸボード、５１８はプリンタに出力すべき画像データの信号処理を行うプリンタ画像処理部、５１９はユーザーがコピーなど動作指示を行うための表示／操作部である。５２０はプリンタエンジンの制御を行うプリンタコントローラ、５２３、５２４はプリンタコントローラ用のＲＯＭ，ＲＡＭである。５２１はプリンタ画像データ信号を受けてレーザー制御を行うレーザードライバ、５２２はプリンタエンジンである。５３０は５４０リーダー及び５５０プリンタに電源を供給する電源ユニット１、５３１は５６０コントローラに電源を供給する電源ユニット２である。１０２〜１０６の各複合機はすべて図５のブロックと同様の構成である。
【００１３】
各モードにおける動作を説明する。
【００１４】
起動時：
図示していないメイン電源スイッチがオンすると５３１電源ユニットから５６０コントローラに電源が供給される。そして、５１０システムコントローラ内のＣＰＵ（図示せず）が５１１Ｂｏｏｔ−ＲＯＭの初期プログラムで立ち上がる。そして、５１７ハードディスク内に格納された制御用プログラムを５１５ハードディスクコントローラ経由で読み出して５１３ＤＲＡＭにデータ転送する。ここに転送された制御用プログラムで起動して複合機全体の起動シーケンスが開始される。５１０のシステムコントローラは５３０電源ユニット２をオン制御して５４０リーダー、５５０プリンタに電源供給を行う。そこで、５４０リーダー内の５０１リーダーコントローラ及び５５０プリンタ内の５２０プリンタコントローラは各々起動してリーダーでは光学系の照明およびモーターのイニシャル動作を行い、プリンタでは、プリントエンジンのイニシャライズ動作を行う。
【００１５】
コピー出力動作：
５０７原稿送り装置に原稿が置かれて５１９操作部の図示していないコピースタートボタンが押下されると、５０５ＣＣＤで光電変換された画像データ信号が５０４リーダー画像処理部で、シェーディング補正、変倍、２値化などの処理が行われて、５１０システムコントローラ経由で５１３ＤＲＡＭに格納される。そして、次に５１３ＤＲＡＭ上の画像データは５１０システムコントローラ経由で５１８プリンタ画像処理部で、ガンマ変換等の処理が行われて５２１レーザードライバ経由で５２２プリンタエンジンでプリント出力される。
【００１６】
プリント出力モード：
ネットワーク接続されたＰＣ（図１の１０７〜１１０）から５１４ＬＡＮカード経由でプリントすべきデータが送られると５１３ＤＲＡＭ上にデータが送られる。そのデータを５１０システムコントローラが、プリントすべきビットマップデータに展開してそのデータが再び５１３ＤＲＡＭ上に置かれる。その後はコピー出力動作と同様に５１８プリンタ画像処理部を経由して５２２プリントエンジンに出力される。
【００１７】
ＦＡＸ送信モード：
コピー動作と同様に５０７原稿送り装置に原稿が置かれると５１９操作部の図示していないＦＡＸ画面に切り替えて、送信先のダイヤル番号を入力し、スタートボタンを押下する。５０５ＣＣＤで読みとられた画像信号はコピー出力時と同様に５１３ＤＲＡＭにデータが格納される。５１６ＦＡＸボードから所定手順でＦＡＸ送信が進められて５１３ＤＲＡＭ上のデータがＦＡＸ回線へと送られる。
【００１８】
ＦＡＸ受信／プリントモード：
５１６ＦＡＸボードでＦＡＸ回線から受信が確認されると所定の手順でＦＡＸ受信が行われて５１３ＤＲＡＭ上にビットマップデータが格納される。そして、その後はコピー出力動作と同様に５１８プリンタ画像処理部を経由して５２２プリントエンジンに出力される。
【００１９】
スリープモード：
あらかじめ設定された時間以上コピー、プリント、ＦＡＸ送受などの動作がないと、５１０システムコントローラは、５０１リーダーコントローラ、５２０プリンタコントローラに対して各々５４０リーダー、５５０プリンタがスリープ状態に入るように指示される。そしてスリープ移行可能な状態になったと５１０システムコントローラが判断すると５３０電源ユニット１のオフ制御をして、５４０リーダー及び５５０プリンタへの電源供給を止める。この状態では５３１電源ユニット２からシステムコントローラにのみ電源が供給される。５１４ＬＡＮ、５１６ＦＡＸ、５１９操作部のスリープ解除要求ＳＷ（図示せず）などから起動要求でスリープから復帰する場合には、５３０電源ユニット１のオン制御が行われて、あらかじめ設定された短時間でスタンバイ状態になる。
【００２０】
低電力モード（１，２）：
５２２プリンタエンジン内には図示していない定着器があり、この定着動作可能状態を維持するために、スタンバイ状態ではヒーターによる温度制御が行われている。この温度調整のための消費電力が大きいため、多少温度調整レベルを下げてすぐにコピー可能状態にならず所定の時間は温度制御を必要とするモードを低電力モードという。コピー可能状態になるまでに要する時間を２段階に設ける場合、低電力モード１、２を設ける場合もある。また、定着器のタイプによっては温度調整制御不要なものもある。この場合は低電力モードは設けていない。このような低消費電力モードの扱いは複合機のプリント出力枚数によっても異なっている。
【００２１】
次に、本発明のカラー画像処理部について、図５の５０４のリーダー画像処理部の詳細について説明する。
【００２２】
図２に示したものが、カラー複写機のリーダー画像処理ブロックである。
【００２３】
２０１は、シェ−ディンング補正回路でカラーＣＣＤから出力されたＲＧＢ信号が入力されて、
ＣＣＤの感度ばらつきや光学系のばらつきを補正するものである。２０２は黒文字／色判定回路で、原稿内の黒文字部分を抽出及び原稿の色味の有無を判定するものである。
【００２４】
２０３はエッジ強調用のフィルタ回路である。２０４は拡大、縮小処理を行う変倍処理回路である。２０５は色変換回路で、カラー複写時はＲＧＢ→ＣＭＹＫに変換、白黒複写時は、Ｇ→Ｋに変換するものである。２０６は２値化変換回路である。２０７は画像処理ブロックの電源回路であり、５１０システムコントローラの指示により画像処理ブロックへの電源供給制御を行うものである。
【００２５】
図３に示したものが、カラー複写機のプリンタ画像処理ブロックである。
【００２６】
３０１は濃度変換回路で、濃度補正を行うものである。３０２は、２値データの解像度変換処理を行う変倍回路である。３０３はスムージング処理をおこなうＳＳＴ回路である。３０４は、２０７と同様にプリンタ画像処理ブロックの電源回路であり、電源供給制御を行うものである。
【００２７】
次に図７のフローチャートを用いて電源制御動作について説明する。
【００２８】
＃７０１において、５１０システムコントローラは通常のカラー処理の電源供給状態を選択して、画像処理回路ブロックの電源回路２０７、３０４の各々に対して画像処理回路全体に電源が供給される（図２，図３の青線及び赤線系統）。
【００２９】
＃７０２において、２０２の色判定回路により原稿の色味の有無の判定が行われる。＃７０３において色味が無く白黒原稿と判断された場合には、＃７０４に進んで２０７，３０４の各電源回路に対して、５１０のシステムコントローラからカラー系画像処理回路への電源（図２，３の青線）の供給が落とされる。
【００３０】
＃７０５に進んで所定の白黒コピー処理が行われる。
【００３１】
＃７０３において、カラー原稿と判断された場合にはそのまま、＃７０５へ進んでカラーコピー処理が行われる。
【００３２】
本発明の図２，図３の画像処理ブロックは、基板上に配置された複数の処理機能ＡＳＩＣという形で説明を進めてきたが、最近のＡＳＩＣの集積度のアップにより画像処理ブロック１つがＡＳＩＣ１チップというレベルにまで来ている。この場合もＡＳＩＣチップ内で電源制御できるような仕掛けを入れることにより同様に実現可能である。
【００３３】
（実施例２）
実施例１では、リーダー及びプリンタの画像処理回路一部に対して、カラー画像処理かあるいは、白黒画像処理かに応じて電源供給を制御を行っていた。
【００３４】
ここでは、画像処理回路へのクロック供給の制御のより省エネを実現する場合について説明する。
【００３５】
図４は、リーダー画像処理回路のブロック図である。
【００３６】
４０１は、シェ−ディンング補正回路でカラーＣＣＤから出力されたＲＧＢ信号が入力されて、
ＣＣＤの感度ばらつきや光学系のばらつきを補正するものである。４０２は黒文字／色判定回路で、原稿内の黒文字部分を抽出及び原稿の色味の有無を判定するものである。
【００３７】
４０３はエッジ強調用のフィルタ回路である。４０４は拡大、縮小処理を行う変倍処理回路である。４０５は色変換回路で、カラー複写時はＲＧＢ→ＣＭＹＫに変換、白黒複写時は、Ｇ→Ｋに変換するものである。４０６は２値化変換回路である。４０７は画像処理ブロックのクロック回路であり、５１０システムコントローラの指示により画像処理ブロックへのクロック供給制御を行うものである。
【００３８】
図６に示したものが、カラー複写機のプリンタ画像処理ブロックである。
【００３９】
６０１は濃度変換回路で、濃度補正を行うものである。６０２は、２値データの解像度変換処理を行う変倍回路である。６０３はスムージング処理をおこなうＳＳＴ回路である。６０４は、４０７と同様にプリンタ画像処理ブロックのクロック回路であり、クロック供給制御を行うものである。
【００４０】
次に図８のフローチャートを用いてクロック供給電源制御動作について説明する。
【００４１】
＃８０１において、５１０システムコントローラは通常のカラー処理のクロック電源供給状態を選択して、画像処理回路ブロックのクロック電源回路４０７、６０４の各々に対して画像処理回路全体に電源が供給される（図４，図６の青線及び赤線系統）。
【００４２】
＃８０２において、４０２の色判定回路により原稿の色味の有無の判定が行われる。
【００４３】
＃８０３において色味が無く白黒原稿と判断された場合には、＃８０４に進んで４０７，６０４の各クロック電源回路に対して、５１０のシステムコントローラからカラー系画像処理回路へのクロック電源（図４，図６の青線）の供給が落とされる。
【００４４】
＃８０５に進んで所定の白黒コピー処理が行われる。
【００４５】
＃８０３において、カラー原稿と判断された場合にはそのまま、＃８０５へ進んでカラーコピー処理が行われる。
【００４６】
本発明の図４，図６の画像処理ブロックは、基板上に配置された複数の処理機能ＡＳＩＣという形で説明を進めてきたが、最近のＡＳＩＣの集積度のアップにより画像処理ブロック１つがＡＳＩＣ１チップというレベルにまで来ている。この場合もＡＳＩＣチップ内でクロック制御できるような仕掛けを入れることにより同様に実現可能である。
【００４７】
（実施例３）
実施例１、２において、原稿の色味の有無を認識する、色判定結果に応じて、画像処理回路の電源供給やクロック供給を制御して、白黒コピーの場合の消費電力低減を行った。
【００４８】
原稿の色判定結果によらず、ユーザーの指示により５１９操作部上で白黒コピーが選択された場合にも図７，図８のフローチャートに従って同様に電源供給制御あるいはクロック供給制御が行われて同様に白黒コピー時の消費電力が低減されることはいうまでもない。
【００４９】
【発明の効果】
以上説明したように、本発明によれば、カラーコピーか白黒コピーかの判断に応じて画像処理回路への電源供給制御を行うことで省エネが実現されるものである。
【図面の簡単な説明】
【図１】本発明の画像処理システムを示す図面。
【図２】リーダー画像処理回路のブロック図。
【図３】プリンタ画像処理回路のブロック図。
【図４】リーダー画像処理回路のブロック図（実施例２）。
【図５】複合機のブロック図。
【図６】プリンタ画像処理回路のブロック図（実施例２）。
【図７】電源制御のフローチャート。
【図８】クロック制御のフローチャート。
【図１】
2004336416.tif 000003
【図２】
2004336416.tif 000004
【図３】
2004336416.tif 000005
【図４】
2004336416.tif 000006
【図５】
2004336416.tif 000007
【図６】
2004336416.tif 000008
【図７】
2004336416.tif 000009
【図８】
2004336416.tif 000010